(57)【要約】【課題】パネル端部に通気用切欠部が加工されたＯＡ床パネルを使用する場合のＯＡ床通気構造であって、そのＯＡ床パネル端部の通気用切欠部から通気性カーペット上への床面吹出し空気を均一に整える。【解決手段】四隅に脚部１１を有してパネル端部に通気用切欠部１３を有するＯＡ床パネル１の上に、間隔を開けて多数並べた第１メッシュ材２１及び間隔を開けて多数並べた第２メッシュ材２２が向きを互いに異ならせて上下に重ねて一体化され、その上下の第１メッシュ材２１の間及び第２メッシュ材２２の間に相互に連続する通気空間２３・２４を形成してなるメッシュシート２を敷設する。このメッシュシート２の上に通気性カーペット３を敷設する。第１メッシュ材２１及び第２メッシュ材２２は、断面丸形の弾性体である。【選択図】図４
2006207193.tif 000002
【特許請求の範囲】
【請求項１】
四隅に脚部を有してパネル端部に通気用切欠部を有するＯＡ床パネルと、
間隔を開けて多数並べた第１メッシュ材及び間隔を開けて多数並べた第２メッシュ材が向きを互いに異ならせて上下に重ねて一体化され、その上下の第１メッシュ材の間及び第２メッシュ材の間に相互に連続する通気空間を形成してなり、前記ＯＡ床パネル上に敷設されるメッシュシートと、
このメッシュシート上に敷設される通気性カーペットとを備えることを特徴とするＯＡ床通気構造。
【請求項２】
前記第１メッシュ材及び第２メッシュ材は断面丸形の弾性体であることを特徴とする請求項１に記載のＯＡ床通気構造。
【請求項３】
前記第１メッシュ材及び第２メッシュ材は断面角形の弾性体であることを特徴とする請求項１に記載のＯＡ床通気構造。
【発明の詳細な説明】
【技術分野】
【０００１】
本発明は、ＯＡ床パネルの端部に設ける通気用切欠部から通気性カーペット上への床面吹出し空気を均一に整えるＯＡ床通気構造に関する。
【背景技術】
【０００２】
オフィスビルにおいて、ＯＡ(Office Automation)機器からの熱対策のため、空調用床構造が採用されている。
例えば床下の給気チャンバーを備えるＯＡ床において、吹出孔を有する床部材の上に、ガラス繊維のメッシュ部材や化学繊維の不織布状マットを積層してなるバッキング層を有する通気性カーペットを用いることが刊行物に記載されている（特許文献１参照）。格子状の通風性支持床の上に、ゴムチップ間の空隙による通気性バッキング層を有する通気性カーペットを用いることが刊行物に記載されている（特許文献２参照）。表面に溝及びその底面の貫通孔を有する床パネルを用いることが刊行物に記載されている（特許文献３参照）。
また、メッシュ部材を用いた通気性カーペットも刊行物に記載され（特許文献４参照）、通気性カーペットの下に挿入する防塵機能フィルターも刊行物に記載され（特許文献５参照）、通気性カーペットの下に挿入する小孔付き風量調整シートも刊行物に記載されている（特許文献６参照）。
【特許文献１】特許第３３１７４６８号公報
【特許文献２】特公平８−２９１２４号公報
【特許文献３】特許第３４５６６０９号公報
【特許文献４】特開平７−２１７９３９号公報
【特許文献５】特開平７−２１７９８２号公報
【特許文献６】特開平７−２１７９８３号公報
【発明の開示】
【発明が解決しようとする課題】
【０００３】
ところで、四隅に脚部を備えるコンクリート製ＯＡ床パネルでは、そのパネルに孔開け加工すると強度的に問題があるため、パネル端部に通気用の切欠部を加工することになる。
しかし、このようにパネル端部に通気用切欠部を加工した場合、刊行物記載の手法では通気性カーペットからの全面均一空気吹出しは困難である。また、通気性カーペットの下へのバッキング層、フィルター、小孔付き風量調整シート等の異物挿入では歩行上の違和感が問題となる。
【０００４】
本発明の課題は、パネル端部に通気用切欠部が加工されたＯＡ床パネルを使用する場合のＯＡ床通気構造であって、そのＯＡ床パネル端部の通気用切欠部から通気性カーペット上への床面吹出し空気を均一に整えることである。
【課題を解決するための手段】
【０００５】
以上の課題を解決するため、請求項１に記載の発明は、例えば図３及び図４に示すように、四隅に脚部１１を有してパネル端部に通気用切欠部１３を有するＯＡ床パネル１を備えるＯＡ床通気構造であって、間隔を開けて多数並べた第１メッシュ材２１及び間隔を開けて多数並べた第２メッシュ材２２が向きを互いに異ならせて上下に重ねて一体化され、その上下の第１メッシュ材２１の間及び第２メッシュ材２２の間に相互に連続する通気空間２３・２４を形成してなり、前記ＯＡ床パネル１上に敷設されるメッシュシート２と、このメッシュシート２上に敷設される通気性カーペット３とを備えることを特徴とする。
【０００６】
このように、四隅に脚部を有してパネル端部に通気用切欠部を有するＯＡ床パネル上でその上に敷設される通気性カーペットとの間には、ともに間隔を開けて多数並べた第１メッシュ材と第２メッシュ材が向きを互いに異ならせて上下に重ねて一体化され、その上下の第１メッシュ材間及び第２メッシュ材間に相互に連続する通気空間を形成してなるメッシュシートが挿入されているので、ＯＡ床パネル下の空調用空気が、パネル端部の通気用切欠部からその上のメッシュシートの通気空間を通って拡散される。
すなわち、メッシュシートにおいて、その向きが互いに異なって重なった上下の第１メッシュ材間及び第２メッシュ材間の相互に連続する通気空間を通って拡散される。これにより、通気性カーペット上への床面吹出し空気が均一に整えられる。
【０００７】
請求項２に記載の発明は、請求項１に記載のＯＡ床通気構造であって、例えば図３に示すように、前記第１メッシュ材２１及び第２メッシュ材２２は断面丸形の弾性体であることを特徴とする。
【０００８】
請求項３に記載の発明は、請求項１に記載のＯＡ床通気構造であって、例えば図５に示すように、前記第１メッシュ材２１及び第２メッシュ材２２は断面角形の弾性体であることを特徴とする。
【０００９】
このように、通気性カーペットの下に挿入するメッシュシートは、間隔を開けて多数並べて向きを互いに異ならせて重ねた上下の第１メッシュ材及び第２メッシュ材が断面丸形または断面角形の弾性体なので、歩行上の違和感が無く、すなわち、歩行感を損なわない。
【発明の効果】
【００１０】
本発明によれば、ＯＡ床パネル下の空調用空気が、パネル端部の通気用切欠部からその上のメッシュシートにおいて、向きが互いに異なって重なった上下の第１メッシュ材間及び第２メッシュ材間の相互に連続する通気空間を通って拡散されるため、通気性カーペット上への床面吹出し空気を均一に整えることができる。
【発明を実施するための最良の形態】
【００１１】
以下、図を参照して本発明を実施するための最良の形態を詳細に説明する。
図１は本発明に使用するコンクリート製ＯＡ床パネル１の一例を示したものである。
ＯＡ床パネル１には、図示のように、四隅に脚部１１を備えて、パネル端部の一辺部にコンセント孔蓋１２が組み付けられるとともに、他の三辺部に沿って通気用切欠部１３が形成されている。
【００１２】
このＯＡ床パネル１は、図示しない床版上に、図２に示すように並べて敷設され、そのＯＡ床パネル１の下空間には、図示しない床吹出しユニット、すなわち、空調機や送風機から空調用空気が供給される。
【００１３】
図３はＯＡ床パネル１の上に敷設されるメッシュシート２の一例を示したものである。
メッシュシート２は、図３（ａ）及び（ｂ）に示されるように、所定間隔を開けて多数並べた第１メッシュ材２１の上に、同様に所定間隔を開けて多数並べた第２メッシュ材２２を直交させた状態で上下に重ねて一体化したものである。従って、メッシュシート２は、第１メッシュ材２１の間に形成される通気空間２３と、その上の第２メッシュ材２２の間に形成される通気空間２４とが相互に連続するものとなっている。
ここで、第１メッシュ材２１及び第２メッシュ材２２は、図示例では断面丸形の弾性体、例えばプラスチックや塩化ビニール製等の加工が容易なものである。また、メッシュシート２自体の厚さは５ｍｍ程度と極力薄いものとなっている。
【００１４】
図４は本発明を適用したＯＡ床通気構造の一実施形態の構成を示すもので、図示のように、ＯＡ床パネル１の上にメッシュシート２が敷設されて、その上に通気性カーペット３が敷設されている。
【００１５】
以上のＯＡ床通気構造によれば、床版上に並べて敷設されたＯＡ床パネル１の下空間に供給される床吹出しユニット（空調機や送風機）からの空調用空気は、図４に矢印で示したように、各パネル端部の通気用切欠部１３からその上のメッシュシート２の通気空間２３・２４を通って拡散される。
すなわち、床下からの吹出し空気は、メッシュシート２において、直交させて重なった上下の第１メッシュ材２１間及び第２メッシュ材２２間の相互に連続する通気空間２３・２４を通って拡散される。これにより、通気性カーペット３下で面上に広がった後、その通気性カーペット３上への床面吹出し空気が均一に整えられる。
【００１６】
従って、カーペット面全域の空気吹出しのため、吹出し速度が小さく、塵埃等の巻き上げが無く、また、吹出し部位に偏りが無く、不快なドラフト感も無い快適なＯＡ床通気が得られる。
しかも、メッシュシート２は断面丸形の弾性体による第１メッシュ材２１及び第２メッシュ材２２を直交して上下に重ねた極力薄いものなので、歩行上の違和感が無い。すなわち、歩行感を損なわないといった利点も得られる。
【００１７】
図５はＯＡ床パネル１の上に敷設されるメッシュシート２の他の例を示したもので、図示のように、第１メッシュ材２１及び第２メッシュ材２２を断面角形、すなわち、図示例では断面四角形としたものである。
【００１８】
なお、以上の実施形態においては、コンクリート製のＯＡ床パネルとしたが、本発明はこれに限定されるものではなく、ＯＡ床パネルは樹脂製や金属製や木製であっても良い。
また、実施形態では、第１メッシュ材と第２メッシュ材を直交させたが、必ずしも直交させる必要はなく、要は向きを互いに異ならせて重ねることで上下の第１メッシュ材及び第２メッシュ材の間に相互に連続する空気拡散用の通気空間が確保されれば良い。
さらに、空調用切欠部の形状等も任意であり、その他、具体的な細部構造等についても適宜に変更可能であることは勿論である。
【図面の簡単な説明】
【００１９】
【図１】本発明に使用するＯＡ床パネルの一例を示した平面図である。
【図２】図１のＯＡ床パネルを並べた状態の一例を示した平面図である。
【図３】メッシュシートの一例を示したもので、側面図（ａ）と斜視図（ｂ）である。
【図４】本発明を適用したＯＡ床通気構造の一実施形態の構成を示す縦断側面図である。
【図５】メッシュシートの他の例を示したもので、側面図（ａ）と斜視図（ｂ）である。
【符号の説明】
【００２０】
１  ＯＡ床パネル
１１  脚部
１２  コンセント孔蓋
１３  通気用切欠部
２  メッシュシート
２１  第１メッシュ材
２２  第１メッシュ材
２３  通気空間
２４  通気空間
３  通気性カーペット
【図１】
2006207193.tif 000003
【図２】
2006207193.tif 000004
【図３】
2006207193.tif 000005
【図４】
2006207193.tif 000006
【図５】
2006207193.tif 000007